(57)【要約】【課題】  測定器や通信の相手方および特別な追加回路ブロックを必要とせず、チャネル間隔が受信帯域幅以下に設定できない場合でも単独でその受信動作を確認、点検できる受信機を提供することを目的とする。【解決手段】  受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機であって、前記クロック発振器から出力されるクロック信号の高次成分周波数を正常に受信することを判別する高次成分周波数判別手段と、該高次成分周波数判別手段により前記クロック信号の高次成分周波数がその許容偏差及び温度偏差を包括して受信帯域内となる受信周波数に設定する手段とを有することを特徴とする。【選択図】  図３
2005269493.tif 000002
【特許請求の範囲】
【請求項１】
受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機であって、
前記クロック発振器から出力されるクロック信号の高次成分周波数を正常に受信することを判別する高次成分周波数判別手段と、
該高次成分周波数判別手段により前記クロック信号の高次成分周波数がその許容偏差及び温度偏差を包括して受信帯域内となる受信周波数に設定する手段とを有することを特徴とする受信機。
【請求項２】
受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機の受信チェック方法であって、
前記クロック発振器から出力されるクロック信号の高次成分周波数を正常に受信することを判別し、
該判別により前記クロック信号の高次成分周波数がその許容偏差及び温度偏差を包括して受信帯域内となる受信周波数に設定することを特徴とする受信機の受信チェック方法。
【発明の詳細な説明】
【技術分野】
【０００１】
本発明は、携帯無線機等の受信機（送信機能も有する無線機も含む。）に関し、更に詳しくは受信動作制御の点検、確認に好適な受信機及び受信チェック方法に関するものである。
【背景技術】
【０００２】
従来の一例である受信機及び受信チェック方法について図５〜図７を参照して説明する。
図５はクロック発振器を含む受信機の構成の一例を示すブロック図である。
図６は受信チェック方法に用いる受信チャネルと受信周波数を示す図である。
図７は受信機に用いるクロック発信器の構成の一例を示す回路図である。
【０００３】
以下、この受信機の構成及び動作について図５を用いて説明する。
アンテナ１にて受信した高周波信号はフロントエンド３にて帯域制限及び増幅され第一ミクサ４へ入力される。
一方、クロック発振器１６からのクロック信号が入力されるとマイコン１５は第一局部発振器１４から出力される発振周波数を制御し、この発振信号は第一ミクサ４へ入力される。
即ちマイコン１５は第一局部発振器１４へ分周数のデータ信号を出力することにより、設定された発振周波数の発振信号が第一ミクサ４へ入力される（高周波信号の周波数に応じて発振信号の発振周波数が決まる。）。
フロントエンド３からの高周波信号、第一局部発振器１４からの発振信号が第一ミクサ４に入力されることにより、高周波信号は周波数の低い所定の第一中間周波数に変換される。
第一ミクサ４にて第一中間周波数に変換された第一中間周波数信号は、帯域濾波器５にて帯域制限され第一中間周波増幅器６にて増幅され第二ミクサ７に入力される。
第二ミクサ７には第二局部発振器１３からの信号が入力され、第一中間周波数信号は更に周波数の低い第二中間周波数に変換される。
変換された第二中間周波数信号は、帯域濾波器８にて帯域制限され第二中間周波増幅器９にて増幅された後、復調器１０にて復調される。
復調された音声帯域信号はベースバンド信号処理回路１１にて帯域制限の処理を施されスピーカ１２から出力される。
【０００４】
次に、受信機不要輻射について説明する。
受信機不要輻射とは不要に輻射されるクロック信号の高次成分のことであり、このクロック信号の高次成分はマイコン等によりクロック信号を波形整形、分周処理が行なわれたときに発生する。
図５の受信機もクロック信号の高次成分が不要に輻射されることがある。
この受信機で受信動作を行なわせるとき、クロック信号の高次成分は輻射されるとノイズとなることにより不要であるため輻射されないようにクロック信号周波数を設定する。
しかし、この受信機で受信動作をチェックするときにはクロック信号の高次成分が輻射されるようにクロック信号周波数を設定する。
【０００５】
以上のように構成および動作を制御された単独でその受信動作を確認、点検ができる受信機において、クロック信号周波数は図７に示す例のように構成されたクロック発振器１６の水晶振動子３０、コンデンサ３１、３２およびコンデンサ３３、３４を介して接続された可変容量ダイオード３５、３６によって決定されるが、水晶振動子３０の周波数偏差と温度特性及びコンデンサや可変容量ダイオードの許容偏差と温度特性などにより偏差を持つ。
ここで、水晶振動子３０の周波数偏差と温度特性について注目し考察する。
今、水晶振動子３０の周波数偏差の仕様が±１００ｐｐｍであったとすると、前述の受信周波数に対するクロック信号周波数関係の考察例により計算すると、クロック信号周波数の４２倍波は１５４．８１３３〜１５４．８４４３ＭＨｚとなり、受信機の受信周波数帯域内に存在しない可能性がある。
この場合、クロック信号周波数の高次成分を受信することができず単独でその受信動作を確認、点検できない。
同様に水晶振動子３０の温度特性により、受信機の使用される周囲温度によってはクロック信号周波数の高次成分を受信することができず単独でその受信動作を確認、点検できない場合がある。
【０００６】
そこで、図６に示すように受信帯域幅がオーバーラップするように受信周波数を受信帯域幅である１２ＫＨｚ以下のチャネル間隔（図の例では１０ＫＨｚ）でスキャンすることにより等価的に広帯域を受信させる。
例えばｆＲ、ｆＲ±１チャネル…ｆＲ±ｎチャネルという順に水晶振動子３０の周波数偏差である±１００ｐｐｍの幅を全てカバーするまでスキャンすれば確実に受信することが可能となる。
スキャンはクロック信号周波数の高次成分を受信し復調器１０からの復調信号成分の一部を利用したノイズスケルチ１７により検出し、検出信号をマイコン１５で判別することで受信機全体の各ブロックが正常に動作して受信しているかが検出できる。
受信していることが検出できずにスキャンが終了すれば受信系に何らかの異常があることになりユーザーに修理を促すようにアラーム表示やアラーム音等により報知する。
上記の例は水晶振動子３０の周波数偏差のみの考察であるが、温度特性及びその他の部品のバラツキを考慮しスキャン幅であるｎの値を決定すればクロック発振器を構成する部品の許容偏差、温度特性及びバラツキ等によりクロック信号周波数がずれても確実に単独でその受信動作を確認、点検できる受信機を提供することができる。
【０００７】
従来の受信機及び受信チェック方法に関する技術として例えば特許文献１〜特許文献２がある。
【０００８】
【特許文献１】特開２００２−６４４４２号公報
【特許文献２】特開２００１−１６８７５３号公報
【発明の開示】
【発明が解決しようとする課題】
【０００９】
以上のように、従来のクロック発振器を含み単独でその受信動作を確認、点検ができる受信機では、そのチャネル間隔が受信帯域幅以下に設定できることが絶対条件であり、その条件を満たす事ができない場合、そのクロック発振器を構成する部品の許容偏差、温度特性及びバラツキ等によりそのクロック信号周波数がずれると、クロック信号周波数の高次成分が受信機の受信周波数帯域内に存在しない可能性があり、すなわち単独でその受信動作を確認、点検できないことがあるという問題があり、特に通信の確実性が人命に係わるために始業前に確認、点検を要する職種および持運んで使用する携帯型の場合に問題が有った。
【００１０】
本発明は以上の点に鑑み、このような問題を解決するためになされたもので、その目的はチャネル間隔が受信帯域幅以下に設定できない場合でもクロック発振器を構成する部品の許容偏差、温度特性及びバラツキ等によりクロック信号周波数がずれても、その高次成分が受信帯域内となるように受信周波数を制御することにより確実に単独でその受信動作を確認、点検できる受信機を提供することにある。
【課題を解決するための手段】
【００１１】
上記従来の問題点を解決するための本発明の受信機は、受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機であって、前記クロック発振器から出力されるクロック信号の高次成分周波数を正常に受信することを判別する高次成分周波数判別手段と、該高次成分周波数判別手段により前記クロック信号の高次成分周波数がその許容偏差及び温度偏差を包括して受信帯域内となる受信周波数に設定する手段とを有することを特徴とする。
【００１２】
また、上記従来の問題点を解決するため本発明の受信チェック方法は、受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機の受信チェック方法であって、前記クロック発振器から出力されるクロック信号の高次成分周波数を正常に受信することを判別し、該判別により前記クロック信号の高次成分周波数がその許容偏差及び温度偏差を包括して受信帯域内となる受信周波数に設定することを特徴とする。
【００１３】
さらに、上記従来の問題点を解決するため本発明の受信機及び受信チェック方法は、前記の受信機において、クロック信号の高次成分周波数がその許容偏差及び温度偏差等をも包括して受信帯域内となる受信周波数に設定する手段がシンセサイザ方式により制御されることを特徴とする。
【００１４】
さらに、上記従来の問題点を解決するため本発明の受信機及び受信チェック方法は、前記の受信機において、クロック発振器から出力されるクロック信号により動作する電子部品がマイコンであり、該マイコンにより受信周波数および該クロック発振器から出力されるクロック信号の周波数等が制御されることを特徴とする。
【００１５】
さらに、上記従来の問題点を解決するため本発明の受信機及び受信チェック方法は、前記の受信機において、クロック発振器から出力されるクロック信号により動作する電子部品がマイコンおよびベースバンド信号処理ＩＣであり、該マイコンにより受信周波数、ベースバンド信号処理ＩＣおよび該クロック発振器から出力されるクロック信号の周波数等が制御されることを特徴とする。
【００１６】
さらに、上記従来の問題点を解決するため本発明の受信機及び受信チェック方法は、前記の受信機が送信機と一体となった携帯機器若しくは無線機器であることを特徴とする。
【発明の効果】
【００１７】
以上説明したように本発明によれば、測定器や通信の相手方および特別な追加回路ブロックを必要とせず、チャネル間隔が受信帯域幅以下に設定できない場合でも単独でその受信動作を確認、点検できる受信機を提供することができる。
【発明を実施するための最良の形態】
【００１８】
本発明の実施の形態について図面を参照しながら説明する。
本発明の実施の形態である、クロック発振器を含み単独でその受信動作を確認、点検できる受信機は、図１に示す例のように受信機を構成する複数の回路により構成されている。
まず、受信機の構成および動作を以下に説明する。
アンテナ１にて受信した高周波信号はスイッチ部２を介してフロントエンド３にて帯域制限および増幅され第一ミクサ４に入る。
一方、クロック発振器１６から出力されるクロック信号により動作するマイコン１５からの発振周波数を決定するための分周数などのデータ信号により発振周波数を制御された第一局部発振器１４の出力が第一ミクサ４に入力され、上記高周波信号は周波数の低い所定の第一中間周波数に変換される。
第一ミクサ４にて第一中間周波数に変換された第一中間周波数信号は、帯域濾波器５にて帯域制限され第一中間周波増幅器６にて増幅され第二ミクサ７に入力される。
第二ミクサ７には第二局部発振器１３からの信号が入力され、第一中間周波数信号はさらに周波数の低い第二中間周波数に変換される。
変換された第二中間周波数信号は、帯域濾波器８にて帯域制限され第二中間周波増幅器９にて増幅された後、復調器１０にて復調される。
復調された音声帯域信号はベースバンド信号処理回路１１にて帯域制限等の処理を施されスピーカ１２から出力される。
【００１９】
クロック信号は例えば３.６８６４ＭＨｚなどの周波数で、このクロック信号によりマイコン１５の処理速度が決定し、またベースバンド信号処理回路１１などではＭＳＫ信号処理やＣＴＣＳＳ，ＣＤＣＳＳ処理などの原振になる。
ここで、マイコン１５やベースバンド信号処理回路１１では入力されたクロック信号に対し波形整形や分周等の処理が施されるため、クロック信号周波数の高次成分が発生しマイコンなどの素子や素子に接続されている基板上のパターンなどから輻射される。
このような不要に輻射される成分に対し、無線機などの場合は「受信機不要輻射」等の規格により制限されるためシールド等の施策を施し規格を満足する。
【００２０】
ここで、次の例のようにクロック信号周波数の高次が受信機の受信周波数帯域内にある場合を考察する。
受信周波数（ｆＲ）：１５４.８３００ＭＨｚ、受信帯域幅：１２ＫＨｚ（ｆＲ±６ＫＨｚ）、クロック信号周波数：３.６８６４ＭＨｚとするとクロック信号周波数の４２倍波は３.６８６４ＭＨｚ×４２＝１５４.８２８８ＭＨｚで受信周波数に対して−１.２ＫＨｚとなり受信帯域内に存在する。
クロック信号周波数の高次成分などの不要に輻射される成分に対し、無線機などの場合は「受信機不要輻射」等の規格により制限されることは前述したが、「受信機不要輻射」の規格値は４０００μμＷ以下（−５４ｄＢｍ以下）である。
しかし、このクロック信号周波数の高次成分のレベルが規格を満足していても受信機内のフロントエンド３などに輻射された場合、受信感度は約−１２０ｄＢｍ程度でありそのＤ／Ｕ比は６６ｄＢにもおよぶため特に携帯型等ではシールド等での減衰量だけでは受信感度に対して減衰しきれず、このクロック信号周波数の高次成分を受信してしまい受信機としての感度を劣化させる。
このような場合、クロック信号周波数を受信帯域幅である１２ＫＨｚ（ｆＲ±６ＫＨｚ）の範囲外にずらすことで回避できる。
今の例の場合、クロック信号周波数の４２倍波周波数を４.８ＫＨｚ以上下げれば受信周波数に対して−１.２−４.８＝−６（ＫＨｚ）となり受信帯域幅の範囲外になる。
今、クロック信号周波数の４２倍波周波数を５ＫＨｚ下げることとするとクロック信号周波数は−３２.３ｐｐｍ（−５ＫＨｚ／１５４.８２８８ＭＨｚ）ずれることになり上記問題を回避することができる。
ここで考慮すべきことはクロック信号周波数をベースバンド信号処理回路１１などでＭＳＫ信号処理やＣＴＣＳＳ，ＣＤＣＳＳ処理などの原振として利用している場合であり、ＭＳＫ信号処理やＣＴＣＳＳ，ＣＤＣＳＳ処理上のクロック信号周波数の許容偏差内であることが条件となる。
このような場合、クロック発振器１６を図７に示す例のように構成し問題を回避していた。
【００２１】
以上のように構成および動作を制御された受信機において、単独でその受信動作を確認、点検する時の動作について詳細に説明する。
クロック信号周波数の高次成分が受信機の受信周波数帯域内にある場合については、クロック発振器１６を図７に示す例のように構成しマイコン１５からの制御信号により受信周波数帯域外にずらし、受信感度劣化を回避することはすでに述べた。
すなわち、マイコン１５からの制御信号を元に戻しクロック信号周波数の高次成分が受信機の受信周波数帯域内とすれば、クロック信号周波数の高次成分を受信することは明白である。
この時、クロック信号周波数の高次成分を受信したことを復調器１０からの復調信号成分の一部を利用したノイズスケルチ１７により検出し、検出信号をマイコン１５で判別することで受信機全体の各ブロックが正常に動作して受信しているかが検出できる。
以上のような受信動作を確認、点検する動作を例えば受信機の電源を入れた時、またはマイコン１５に接続されたスイッチなどにより任意の時に行うように受信機全体をマイコン１５で制御させる。
また、受信動作を確認、点検した結果、正常に動作している場合はそのまま通常の受信動作に移行、また動作が異常である場合はユーザーに修理を促すようアラーム表示やアラーム音等により報知する。
【００２２】
上記の例は、クロック信号周波数の高次成分が受信機の受信周波数帯域内にある場合について説明したが、クロック信号周波数の高次成分が受信機の受信周波数帯域外である場合は、受信動作を確認、点検する時に、次の（イ）または（ロ）とする。
・  クロック信号周波数の高次成分が受信機の受信周波数帯域内となるようにマイコン１５からの制御信号により図７に示す例のように構成されたクロック発振器１６を制御する。
・  シンセサイザ方式の受信機の場合などはクロック信号周波数の高次成分が受信機の受信周波数帯域内となる受信周波数に制御する等の動作をマイコン１５で制御させれば良い。
また、上記の例ではクロック信号周波数の高次成分を受信したことを検出する手段としてノイズスケルチ方式を用いたがＲＳＳＩ信号等を用いても良い。
【００２３】
図２は本発明によるクロック発振器を含み、クロック発振器を構成する部品の許容偏差、温度特性及びバラツキ等によりクロック信号周波数がずれても確実に単独でその受信動作を確認、点検できる受信機の確認、点検時の一動作例（第１実施例）を示す図である。
通常のＶＨＦ帯を例にすると、そのチャネル間隔は２０ｋＨｚであり、図２に示すようにクロック信号周波数の４２倍波成分に最も近い設定可能な受信周波数（ｆＲ）は１５４.８２００ＭＨｚとなり、チャネルを前述同様にスキャンしても受信帯域幅がオーバーラップしておらず、クロック信号周波数の高次成分の許容偏差である±１００ｐｐｍの幅の全てを受信することができず、確実に単独でその受信動作を確認、点検することができない場合がある。
しかし上記の方法は、チャネル間隔が受信帯域幅以下として構成できることが絶対条件である。
【００２４】
図４は本発明によるクロック発振器を含み、クロック発振器を構成する部品の許容偏差、温度特性及びバラツキ等によりクロック信号周波数がずれても確実に単独でその受信動作を確認、点検できる受信機の確認、点検時の一動作例（第２実施例）を示す図である。
図４に示す動作例において、通常の受信状態における受信動作およびクロック発振器の制御方法については従来の例と同様であるので説明を省略する。
以下、単独でその受信動作を確認、点検する時のクロック信号周波数の高次成分に対する受信周波数の制御動作について詳細に説明する。
ここで、周波数関係を次の値にて考察する。
すなわち、チャネル間隔：２０ｋＨｚ、受信周波数（ｆＲ）：１５４.８０００ＭＨｚ、受信帯域幅：１２ＫＨｚ（ｆＲ±６ＫＨｚ）、クロック信号周波数：３.６８６４ＭＨｚとしクロック信号周波数の４２倍波が３.６８６４ＭＨｚ×４２＝１５４.８２８８ＭＨｚであるとする。
【００２５】
ここで、水晶振動子３０の周波数許容偏差について注目し考察する。
今、水晶振動子３０の周波数許容偏差の仕様が±１００ｐｐｍであったとすると、クロック信号周波数の４２倍波は１５４.８１３３〜１５４.８４４３ＭＨｚの範囲の中に存在する。受信周波数ｆＲ＝１５４.８０００ＭＨｚをｐ０チャネルとし、ｐ０チャネルの１チャネル高い周波数をｐ１チャネル、さらに１チャネル高い周波数をｐ２チャネルとしてスキャンしても受信帯域幅がオーバーラップしておらず、クロック信号周波数の高次成分の許容偏差である±１００ｐｐｍの幅の全てを受信することができず、確実に単独でその受信動作を確認、点検することができない場合がある。
【００２６】
そこで、受信帯域幅がオーバーラップするように受信周波数を制御するため、第１局部発振器１４を構成する周波数シンセサイザを図３に示すように構成する。
図３に示す周波数シンセサイザは、電圧制御発振器２３、マイコン１５からの発振周波数を決定するための分周数などのデータ信号によりその分周数が変わる分周器２５、マイコン１５からの電圧信号によりその発振周波数が変化するＶＣ−ＴＣＸＯ２４、ＶＣ−ＴＣＸＯ２４の発振周波数をチャネル間隔周波数に分周する基準周波数分周器２０、基準周波数分周器２０と分周器２５からの信号の位相を比較する位相比較器２１、位相比較器２１からの誤差信号から高調波成分を除去する低域濾波器２２によって構成されている。
【００２７】
今、前述の周波数関係において、さらに第１中間周波数（ｆＩＦ）が５８.１ＭＨｚ、ＶＣ−ＴＣＸＯ２４の周波数が１２.８ＭＨｚであったとすると、図３に示す周波数シンセサイザのパラメータは次の様になる。
受信周波数：ｆＲ＝１５４.８０００ＭＨｚ  （ｐ０チャネル）
第１局部発振器１４の出力周波数：
ｆＬＯ＝１５４.８０００ＭＨｚ＋５８.１ＭＨｚ＝２１２.９０００ＭＨｚ
分周器２５の分周数：Ｎ＝１０６４５
基準周波数分周器２０の分周数：Ｍ＝６４０
ここで、受信帯域幅がオーバーラップするように受信周波数を制御するため、ＶＣ−ＴＣＸＯ２４の発振周波数（ｆＲＥＦ）をマイコン１５からの電圧信号により次式に示す周波数に制御する。
ｆＲＥＦ  ＝  １２.８ＭＨｚ  ×  （１＋１０ｋＨｚ／２１２.９０００ＭＨｚ）
＝  １２.８００６０１２２ＭＨｚ
すなわち、受信周波数を１／２チャネル分高い周波数に設定するため、ＶＣ−ＴＣＸＯ２４の発振周波数を４６.９７ｐｐｍ（１０ｋＨｚ／２１２.９０００ＭＨｚ）高く設定する。
今、例えばＶＣ−ＴＣＸＯ２４の電圧信号に対する周波数変動率が＋２０ｐｐｍ／Ｖとすると、マイコン１５からの電圧信号を２.３４８５Ｖ（４６.９７／２０）高く制御する。
この１／２チャネル分高く設定されたチャネルをｑ０チャネルとし、同様にｐ１チャネル、ｐ２チャネルに対しても１／２チャネル分高く設定されたチャネルをｑ１チャネル、ｑ２チャネルとする。
上記の様に設定されたチャネルを例えばｐ０、ｑ０、ｐ１、ｑ１、ｐ２、ｑ２の順にスキャンすることにより等価的に広帯域を受信させ、水晶振動子３０の周波数偏差である±１００ｐｐｍの幅を全てカバーするまでスキャンすれば確実に受信することが可能となる。
スキャンはクロック信号周波数の高次成分を受信し復調器１０からの復調信号成分の一部を利用したノイズスケルチ１７により検出し、検出信号をマイコン１５で判別することで受信機全体の各ブロックが正常に動作して受信しているかが検出できる。
受信していることが検出できずにスキャンが終了すれば受信系に何らかの異常があることになりユーザーに修理を促すようにアラーム表示やアラーム音等により報知する。
【００２８】
上記の例は水晶振動子３０の周波数偏差のみの考察であるが、温度特性及びその他の部品のバラツキを考慮しスキャン幅を決定すればクロック発振器を構成する部品の許容偏差、温度特性及びバラツキ等によりクロック信号周波数がずれても確実に単独でその受信動作を確認、点検できる受信機を提供することができる。
【００２９】
本発明の実施の形態によれば、受信動作を確認、点検する時にクロック発振器から出力されるクロック信号の高次成分周波数がクロック発振器を構成する部品の許容偏差、温度特性及びバラツキ等によりずれても確実に受信するために、チャネル間隔が受信帯域幅以下に設定できない受信機において、第一局部発振器を構成する周波数シンセサイザの原振であるTCXOにVC-TCXOを用いて原振をずらすことにより、チャネルと隣接するチャネルの間に等価的に受信チャネルを設けて受信周波数をスキャンして、クロック発振器から出力されるクロック信号の高次成分周波数が受信周波数帯域内となるように受信周波数を制御することにより確実に受信機単独でその受信動作を確認、点検できるようにしたものである。
従って、チャネル間隔が受信帯域幅以下に設定できない受信機においてもクロック発振器を構成する部品の許容偏差、温度特性及びバラツキ等によりクロック信号周波数がずれても確実に単独でその受信動作を確認、点検できる受信機を提供することができる。
【００３０】
すなわち、チャネル間隔が受信帯域幅以下に設定できることが絶対条件であり、その条件を満たす事ができない場合、そのクロック発振器を構成する部品の許容偏差、温度特性及びバラツキ等によりそのクロック信号周波数がずれると、クロック信号周波数の高次成分が受信機の受信周波数帯域内に存在しない可能性があった。
このように、チャネル間隔が受信帯域幅以下に設定できない場合でもクロック発振器を構成する部品の許容偏差、温度特性及びバラツキ等によりクロック信号周波数がずれても、その高次成分が受信帯域内となるように受信周波数を制御することにより確実に単独でその受信動作を確認、点検できる受信機及び受信チェック方法とする。
【００３１】
したがって本発明によれば、確実に単独でその受信動作を確認、点検できる受信機及び受信チェック方法を提供することができ、例えば災害救助活動のように人命救助に係わる職種で用いる携帯無線機では、より確実に通信を確立させることができる。
【図面の簡単な説明】
【００３２】
【図１】本発明による単独でその受信動作を確認、点検できる受信機の一例を示すブロック図。
【図２】本発明による単独でその受信動作を確認、点検できる受信機の確認、点検時の一動作例（第1実施例）を示す図
【図３】本発明による第１局部発振器を構成する周波数シンセサイザの一例を示すブロック図
【図４】本発明による単独でその受信動作を確認、点検できる受信機の確認、点検時の一動作例（第２実施例）を示す図
【図５】従来のクロック発振器を含み、単独でその受信動作を確認、点検できる受信機の一例を示すブロック図。
【図６】従来の単独でその受信動作を確認、点検できる受信機の確認、点検時の一動作例を示す図
【図７】従来のクロック発振器部分の一実施例を示す図。
【符号の説明】
【００３３】
１：アンテナ、２：スイッチ部、３：フロントエンド、４：第一ミクサ、５：帯域濾波器、６：第一中間周波増幅器、７：第二ミクサ、８：帯域濾波器、９：第二中間周波増幅器、10：復調器、11：ベースバンド信号処理回路、12：スピーカ、13：第二局部発振器、14：第一局部発振器、15：マイコン、16：クロック発振器、17：ノイズスケルチ部、20：基準周波数分周器、21：位相比較器、22：低域濾波器、23：電圧制御発振器、24：ＶＣ−ＴＣＸＯ、25：分周器、30：水晶振動子、31、32、33、34：コンデンサ、35、36：可変容量ダイオード、37、38：抵抗。
【図１】
2005269493.tif 000003
【図２】
2005269493.tif 000004
【図３】
2005269493.tif 000005
【図４】
2005269493.tif 000006
【図５】
2005269493.tif 000007
【図６】
2005269493.tif 000008
【図７】
2005269493.tif 000009